(57)【要約】【課題】樹脂フィルム等を使用することなく、ティッシュペーパーをスムーズに取り出すことができ、かつ、待機している次のティッシュペーパーが倒れにくくなるような取り出し口の形状を有するティッシュペーパー用紙箱を提供する。【解決手段】箱の上面部に取り出し口を形成するとともに、内部に複数組の折り畳まれたティッシュペーパーを収納してなるティッシュペーパー用紙箱において、  前記取り出し口を、箱の長手方向に沿って３mm乃至８mmの幅で直線状に設けられた帯状の開口部と、該帯状開口部の両端部に傘状に連結されて設けられたほぼ半円状の開口部とで構成するとともに、前記半円状の開口部の直径を、前記帯状開口部の幅よりも大きくする。【選択図】図１
2004208765.tif 000002
【特許請求の範囲】
【請求項１】
箱の上面部に取り出し口を形成するとともに、内部に複数組の折り畳まれたティッシュペーパーを収納してなるティッシュペーパー用紙箱において、
前記取り出し口は、箱の長手方向に沿って３mm乃至８mmの幅で直線状に設けられた帯状の開口部と、該帯状開口部の両端部に傘状に連結されて設けられたほぼ半円状の開口部とで構成されるとともに、
前記半円状の開口部の直径が、前記帯状開口部の幅よりも大きいことを特徴とするティッシュペーパー用紙箱。
【請求項２】
前記ティッシュペーパー用紙箱の上面部に、前記取り出し口の輪郭に沿ったミシン目が設けられ、該ミシン目にそって切り欠くことにより前記開口部を形成するようになっている請求項１に記載のティッシュペーパー用紙箱。
【発明の詳細な説明】
【０００１】
【発明の属する技術分野】
本発明は、ティッシュペーパー用紙箱の改良に関し、特に、従来、取り出し口に設けられていた樹脂フィルム等の貼りつけの必要性を無くし、製造コストの削減とゴミの分別処理を不要としたティッシュペーパー用紙箱に関する。
【０００２】
【従来の技術】
図１２に示すように、従来のティッシュペーパー用紙箱１は、収容されている多数組の折り畳まれたティッシュペーパー２を、上面部の取り出し口３から順次引き出し使用する場合において、次のティッシュペーパーが箱の内部に落ち込まないようにするために、取り出し口３の裏面に、中央部にティッシュペーパーの折り畳み線方向に向けたスリット４を形成したポリエチレン等の透明な樹脂フィルム５が貼りつけられたものが多く使用されている。かかるティッシュペーパー用紙箱は未使用状態においては、取り出し口３はミシン目の付された蓋片で覆われており、使用開始時にこれを切り取って除去し、前記透明な樹脂フィルム等で構成されるスリット４を露出させ、その間からティッシュペーパー２を引き出すようになっている。
【０００３】
しかしながら、上記した従来タイプの紙箱は、樹脂フィルムを貼る工程が増えるため製造コストが高くなるばかりでなく、ゴミ処理の関係上、使用済み後には樹脂フィルムを引きはがして分別処理しなければならず、使用する者にとっては煩わしかった。
また、かかる樹脂フィルムを用いることの問題点に鑑み、樹脂フィルムを使用しないタイプのティッシュペーパー用紙箱が、いくつか提案されている。
【０００４】
これには、大きく分けて二つのタイプがある。第一のタイプは、紙箱上面部の長手方向に切り込み（スリット）を設け、使用開始時にそれを切り開いてティッシュペーパーを取り出すものである（例えば、特許文献１、特許文献２、特許文献３、特許文献４参照。）。第二のタイプは、紙箱上面部の長手方向に沿って、ある程度の幅を持った帯状の切り欠き蓋を設け、使用開始時にそれを切り離して、帯状の開口部を設けるようにしたものである（例えば、特許文献５参照。）。
【０００５】
【特許文献１】
実開昭５７−１１００８１号公報
【０００６】
【特許文献２】
実開平４−５４２９４号公報
【０００７】
【特許文献３】
実開平４−８０８７８号公報
【０００８】
【特許文献４】
特開平９−３２３７７０号公報
【０００９】
【特許文献５】
実開昭４８−８７２２７号公報
【００１０】
【発明が解決しようとする課題】
しかしながら、かかる樹脂フィルムを使用しないタイプのティッシュペーパー用紙箱にも次のような問題点がある。
【００１１】
すなわち、第一のタイプにおいては、スリット部分を手で広げて開口部を形成することになるが、使用の当初にあっては、折り畳まれた多数組のティッシュペーパーが、開口部近くの高さにまで積み重なっているために、紙どうしの圧力により取り出すのに力がかかる。そのため、開口部がある程度開いていないと取り出しにくいので、ユーザは、勢い、力を入れて広げてしまうことになる。しかし、広げすぎてしまうと開口部の幅が大きくなり過ぎ、紙の量が少なくなったときには次のティッシュペーパーが箱内に落下しやすくという問題がある。
【００１２】
また、逆に、広げ方が少ないと、開口部の紙の弾性変形により元に戻ってしまい、開口部を塞ぐか、あるいは極端に狭くなってしまう。そうすると、ティッシュペーパーを取り出すときに、開口部とティッシュペーパーとの間の摩擦によりティッシュペーパーに負担がかかって破れたり、あるいは摩擦によって紙粉が発生し、空中に飛散することになり、アレルギー等、環境衛生上にも問題がある。
【００１３】
このように、スリット状の開口部をユーザが手で広げるタイプのものは、ユーザによってそれぞれ広げる程度が異なり、期待した効果が得られない場合もある。
【００１４】
次に、第二のタイプにおいては、開口部の帯の幅が広いと、収容されているティッシュペーパーの量が少なくなったとき、収容されているティッシュペーパーの上端と、開口部との間に次第に空間ができるために、次のティッシュペーパーが箱内に落下しやすくなる。逆に、開口部の幅を小さくすると、ティッシュペーパーの両端部が開口部から出にくくなり、その部分で破れてしまうことがある。
【００１５】
また、特許文献５の図１に示されたように、開口部の長さが、ティッシュペーパーの幅よりも長いと、ティッシュペーパーは完全に広げられた形（平面状）で出てくるため、次のティッシュペーパーは手前か後ろ側に倒れてしまい、ティッシュペーパーの端をつまみにくくなるという問題もある。
【００１６】
本発明は、かかる従来技術の問題点に鑑み為されたものであり、本発明の目的は、樹脂フィルム等を使用することなく、ティッシュペーパーをスムーズに取り出すことができ、かつ、待機している次のティッシュペーパーが倒れにくくなるような取り出し口の形状を有するティッシュペーパー用紙箱を提供することにより、製造コストの削減を図り、併せて、リサイクル性の向上を図ることにある。
【００１７】
【課題を解決するための手段】
本発明は、ティッシュペーパー用紙箱に関し、本発明の上記目的は、箱の上面部に取り出し口を形成するとともに、内部に複数組の折り畳まれたティッシュペーパーを収納してなるティッシュペーパー用紙箱において、前記取り出し口は、箱の長手方向に沿って３mm乃至８mmの幅で直線状に設けられた帯状の開口部と、該帯状開口部の両端部に傘状に連結されて設けられた半円状の開口部とで構成されるとともに、前記半円状の開口部の直径が、前記帯状開口部の幅よりも大きいことを特徴とするティッシュペーパー用紙箱によって達成される。
【００１８】
また、本発明の上記目的は、前記ティッシュペーパー用紙箱の上面部に、前記取り出し口の輪郭に沿ったミシン目を設け、該ミシン目にそって切り欠くことにより前記開口部を形成することにより、さらに効果的に達成される。
【００１９】
【発明の実施の形態】
以下、本発明に係るティッシュペーパー用紙箱について、図面を参照して説明する。なお、本発明に係るティッシュペーパー用紙箱と、従来のティッシュペーパー用紙箱とでは、上面部の取り出し口の形状が異なるのみであるので、以下、取り出し口の形状についてのみ説明し、それ以外の構造等についての説明は省略する。
【００２０】
図１は本発明に係るティッシュペーパー用紙箱（以下、「箱」という。）の上面部の取り出し口の形状の第一実施例を示す図である。図で斜線を施した箇所が取り出し口の開口部１０である。
【００２１】
図１において、前記開口部１０は、箱の長手方向に沿って直線状に設けられた帯状開口部１１と、該帯状開口部１１の両端部に傘状に連結されて設けられた半円状開口部１２とで構成されている。
【００２２】
また、箱が未開封状態においては、取り出し口はふさがっており、開口部１０の輪郭に沿って設けられたミシン目にそって、ユーザが切り欠くことにより前記開口部を形成するようになっている（図１０参照）。
【００２３】
ここで、前記帯状開口部１１の幅ｔは、実験の結果、３mm〜８mmが好ましいことが分かった。幅ｔが３mm未満だと開口部が狭すぎて最初の１枚が取り出しにくくなり、また、使用開始時に開口部を切り欠く際に、帯状部分が細いため千切れ易くなるという問題がある。一方、幅ｔが８mmを超えると、広すぎて、待機しているティッシュペーパー（以下、単に「紙」という。）が箱の中に落ち込み易くなるという問題がある。
【００２４】
次に、帯状開口部１１の両端部に連結して半円状開口部１２を設けた理由を説明する。
【００２５】
開口部の長さは、通常、紙の幅よりも短くなっているため、開口部の端部が矩形状に作られていると、紙の取り出し時に、紙の両端部が開口部の両端部に接触し、その際に、30〜70CN（センチニュートン）の抵抗力を受け、矩形状開口部の角に引っ掛かったりすると、紙が破れたりすることがある。
【００２６】
そこで、このような不具合点を解消するため、両端部をほぼ半円状にし、紙が取り出される際に、紙の端部が前記半円状開口部１２において回り込むように丸まるようにした（図１１参照）。このことにより、紙が引っ掛かることがなくなり、スムーズに取り出すことができ、また、紙の両端が丸まることにより、紙が倒れにくくなるという効果もある。
【００２７】
前記半円状開口部１２の奥行きの大きさdは、実験の結果、15mm〜30mmが好ましいことが分かった。15mm未満だと抵抗が大きくて紙が破れ易く、特に最初の１枚が取り出しにくい。逆に、30mmを超えると、開口部が大きすぎて、紙が落ち込み易くなるからである。より好ましくは、20mm〜25mmである。
【００２８】
また、本発明に係るティッシュペーパー用紙箱に収納されるティッシュペーパーは、１枚当りのＪＩＳ Ｐ ８１１８に規定する厚さが０．０３０〜０．１００mmとするのが好ましく、０．０３０〜０．１００mmにすると、引張強度、吸水度、ティッシュペーパーの取り出し易さ等の品質を維持することができるが、０．０３０mmより薄くなると、吸水度、ティッシューペーパーの柔らかさ（手触り感等）、引張強度等の点で好ましくない。０．１００mmより厚くなると、ティッシューペーパーが硬くなり、取り出しにくくなる。
【００２９】
さらに、本発明に係るティッシュペーパー用紙箱に収納されるティッシュペーパーは、２枚重ね１組当りのＪＩＳ Ｓ ３１０４で規定する引張強さは、乾燥時、横の条件で０．６〜２．０Ｎ／２５mmであり、下限値０．６Ｎ／２５mmはティッシュペーパーの一般的使用時に要求される強度の下限であり、上限値２．０Ｎ／２５mmは一般的使用においてはこれ以上必要ないと予想される数値である。
加えて、ＪＩＳ Ｓ ３１０４に規定される吸水度は８秒以下である。この数値も一般的ティッシュペーパーに要求される品質である。
【００３０】
また、本発明に係るティッシュペーパー用紙箱に収納されるティッシュペーパーは、１枚当りのＪＩＳ Ｓ ３１０４で規定する米坪が、１０．０〜２０．０ｇ／m2であることが好ましく、この範囲にすることにより、引張強度、吸水度、ティッシュペーパーの取り出し易さ等の品質を維持することができる。
【００３１】
なお、本発明に係るティッシュペーパー用紙箱に収納されるティッシュペーパーのＪＩＳ Ｐ ８１１８に規定する密度は、０．２９〜０．３７ｇ／cm3 であることが好ましく、０．２９ｇ／cm3 以上にすることにより、引張強度、吸水度等の品質を維持することができる。また、０．３７ｇ／cm3を越えて高くなると、特に吸水度、ティッシュペーパーの柔らかさ（手触り感等）等の点で好ましくない。
【００３２】
本発明に係るティッシュペーパー用紙箱の上面部の開口部は、箱上面の長辺長さに対する比で表した場合、６６〜９６％であることが好ましい。この比率が６６％以下では、最初のティッシュペーパーを取り出す時にティッシュペーパーの破れが発生し易くなり、９６％を越えるとティッシュペーパー残量が少量となった時、開口部から上方に出ているティッシュペーパーが箱の中に落ち、不具合が発生し易くなる。
【００３３】
図２は箱の上面部の取り出し口の形状の第二実施例を示す図であり、図１の形状と異なる部分は、最初の１枚を取り出しやすいように、開口部の中央に取り出し用の穴１３を追加した点である。こうすることにより、最初の１枚が取り出しやすくなるとともに、万一、紙が落ち込んだ場合にも、つまみ上げやすくなる。
【００３４】
図３は箱の上面部の取り出し口の形状の第三実施例を示す図である。図１と異なる点は、前記帯状開口部１１の長辺部分を直線から波線に変更した点である。
【００３５】
こうすることにより、紙と帯状開口部１４の長辺部分との接触面積が少なくなり、紙を引き上げるときに発する帯状開口部と紙との摩擦による音が小さくなるという効果がある。
【００３６】
図４、図５及び図６は、それぞれ、箱の上面部の取り出し口の形状の第四実施例、第五実施例及び第六実施例を示す図である。
【００３７】
第四実施例、第五実施例及び第六実施例は、それぞれ、前記第一実施例、第二実施例及び第三実施例における、半円状開口部１２と帯状開口部１１との境界部１８の角の部分を円弧状の緩やかな曲線形状にしたものである。
【００３８】
こうすることにより、紙を取り出す際に、紙が前記角１８に引っ掛かることがなくなり、さらにスムーズに紙を取り出すことが可能となる。
【００３９】
なお、これらの他に、帯状開口部とほぼ円形の開口部とを亜鈴状に接続してもよい。
【００４０】
図７、図８及び図９は、それぞれ、箱の上面部の取り出し口の形状の第七実施例、第八実施例及び第九実施例を示す図である。
【００４１】
第七実施例、第八実施例及び第九実施例は、それぞれ、前記第一実施例、第二実施例及び第三実施例における、帯状開口部の形状を緩やかな曲線形状に変えたものである。こうすることにより、待機中の紙がさらに倒れにくくなるという効果がある。
【００４２】
なお、図示してはいないが、第七実施例、第八実施例及び第九実施例における、半円状開口部１２と帯状開口部１６、１７との境界部の角の部分を円弧状の緩やかな曲線形状にしてもよいし、第四実施例、第五実施例及び第六実施例における、帯状開口部１１、１４の形状を緩やかな曲線形状にしてもよい。
【００４３】
【発明の効果】
以上より、本発明に係るティッシュペーパー用紙箱によれば、樹脂フィルム等を使用することなく、ティッシュペーパーをスムーズに取り出すことができ、かつ、待機している次のティッシュペーパーが倒れにくくなるという効果があり、併せて、製造コストの削減を図り、リサイクル性の向上を図ることができる。
【図面の簡単な説明】
【図１】本発明に係るティッシュペーパー用紙箱の上面部の取り出し口の形状の第一実施例を示す図である。
【図２】本発明に係るティッシュペーパー用紙箱の上面部の取り出し口の形状の第二実施例を示す図である。
【図３】本発明に係るティッシュペーパー用紙箱の上面部の取り出し口の形状の第三実施例を示す図である。
【図４】本発明に係るティッシュペーパー用紙箱の上面部の取り出し口の形状の第四実施例を示す図である。
【図５】本発明に係るティッシュペーパー用紙箱の上面部の取り出し口の形状の第五実施例を示す図である。
【図６】本発明に係るティッシュペーパー用紙箱の上面部の取り出し口の形状の第六実施例を示す図である。
【図７】本発明に係るティッシュペーパー用紙箱の上面部の取り出し口の形状の第七実施例を示す図である。
【図８】本発明に係るティッシュペーパー用紙箱の上面部の取り出し口の形状の第八実施例を示す図である。
【図９】本発明に係るティッシュペーパー用紙箱の上面部の取り出し口の形状の第九実施例を示す図である。
【図１０】本発明に係るティッシュペーパー用紙箱の上面部の取り出し口がミシン目加工されている状態を示す図である。
【図１１】本発明に係るティッシュペーパー用紙箱の上面部の取り出し口からティッシュペーパーを取り出した状態（待機中）を示す図である。
【図１２】従来のティッシュペーパー用紙箱の実施例を示す図である。
【符号の説明】
１  ティッシュペーパー用紙箱
２  ティッシュペーパー
３  取り出し口
４  スリット
５  樹脂フィルム
１０  開口部
１１、１４、１６、１７  帯状開口部
１２  半円状開口部
１３  取り出し用穴
１５  曲線部
【図１】
2004208765.tif 000003
【図２】
2004208765.tif 000004
【図３】
2004208765.tif 000005
【図４】
2004208765.tif 000006
【図５】
2004208765.tif 000007
【図６】
2004208765.tif 000008
【図７】
2004208765.tif 000009
【図８】
2004208765.tif 000010
【図９】
2004208765.tif 000011
【図１０】
2004208765.tif 000012
【図１１】
2004208765.tif 000013
【図１２】
2004208765.tif 000014